(57)【要約】【課題】ピンが係合溝から外れないようにピンをロックするロック機構のバネ部材の端部が係合溝を有する平板から離れる方向に移動するのを抑制でき、安全性を向上できる連結具を提供する。【解決手段】この連結具１０は、第１平板１１と、ピンが係合溝１２から外れないようにピンをロックするロック機構２０と、第２平板３０とを有する。ロック機構２０は、軸部２１と、フック２３と解除レバー２４とを有するロック部材２２と、ロック部材２２をピンをロックする方向に付勢するバネ部材２５とを有する。バネ部材２５は、軸部２１に巻回された巻回部２６と、解除レバー２４の背面２４ｂに当接する第１端部２７と、第２平板３０に当接する第２端部２８とを含む。そして、第２平板３０には、第２端部２８が第１平板１１から離れる方向に移動するのを規制する凹部３１（規制部）が設けられている。【選択図】図３
0003206694.tif 000002
【実用新案登録請求の範囲】
【請求項１】
作業台の脚部の開き角度を一定に保つための連結具であって、
前記作業台に設けられたピンに係合する係合溝を有する第１平板と、
前記第１平板に取り付けられ、前記ピンが前記係合溝から外れないように前記ピンをロックするロック機構と、
前記第１平板から前記ロック機構側に延びた第２平板とを備え、
前記ロック機構は、
前記第１平板に取り付けられた軸部と、
前記軸部に回動可能に取り付けられ、前記ピンをロックするフックと前記ピンのロックを解除する解除レバーとを有するロック部材と、
前記ロック部材を前記ピンをロックする方向に付勢するバネ部材とを有し、
前記バネ部材は、
前記軸部に巻回された巻回部と、
前記巻回部から延び、前記解除レバーの背面に当接する第１端部と、
前記巻回部から延び、前記第２平板に当接する第２端部とを含み、
前記第２平板には、
前記第２端部が前記第１平板から離れる方向に移動するのを規制する規制部が設けられていることを特徴とする連結具。
【請求項２】
前記規制部は、前記第２平板に形成された凹部であることを特徴とする請求項１に記載の連結具。
【請求項３】
請求項１または２に記載の連結具を備えた作業台。
【考案の詳細な説明】
【技術分野】
【０００１】
本考案は、作業台の脚部の開き角度を一定に保つための連結具、及び、それを備えた作業台に関する。
【背景技術】
【０００２】
従来から脚立、踏み台、梯子等の作業台の脚部の開き角度を一定に保つための連結具が知られている。例えば特許文献１に記載の連結具（上部掛け止め金具１０、下部掛け止め金具１２）は、一端部が一方の脚部２のピン７に回動可能に連結固定され、他端部には係合溝１０Ａ、１２Ａが形成されている。そして、連結具を回動させることによって、他方の脚部２のロックピン１１、１３をそれぞれ当該係合溝１０Ａ、１２Ａに差し込んで、一対の脚部２をロックする。これにより、脚立の脚部の開き角度を一定に保つことができ、脚立の安定性を向上している。
【先行技術文献】
【特許文献】
【０００３】
【特許文献１】特開２００６−２４１９１３号公報
【考案の概要】
【考案が解決しようとする課題】
【０００４】
上記のような連結具においては、例えば図１０（ａ）、（ｂ）に示すように、連結具１１０に、係合溝１１２に係合されたピンをロックするロック機構１２０を設け、ピンが係合溝１１２から外れないようにする構成とすることが考えられる。このロック機構１２０は、係合溝１１２が形成された第１平板１１１に取り付けられた軸部１２１と、軸部１２１に回動可能に取り付けられ、ピンをロックするフック１２３とピンのロックを解除する解除レバー１２４とを有するロック部材１２２と、ロック部材１２２をピンをロックする方向に付勢するバネ部材１２５とを有する。そして、バネ部材１２５は、軸部１２１に巻回された巻回部１２６と、巻回部１２６から延び、解除レバー１２４の背面１２４ｂに当接する第１端部１２７と、巻回部１２６から伸び、第１平板１１１からロック機構１２０側に延びた第２平板１３０に当接する第２端部１２８とを有する。このように、第１端部１２７が解除レバー１２４の背面１２４ｂに当接し、第２端部１２８が第２平板１３０に当接することにより、バネ部材１２５は解除レバー１２４と第２平板１３０との間においてバネとして機能し、ピンをロックする方向に付勢する付勢力をロック部材１２２に与えている。このような構成により、ロック機構１２０によってピンのロックと解除を行うことができるようにしている。
【０００５】
ところで、上記のような連結具１１０では、解除レバー１２４が操作されて、ピンのロックと解除が繰り返し行われると、バネ部材１２５の巻回部１２６が緩むなどして、第２平板１３０に当接するバネ部材１２５の第２端部１２８が第１平板１１１から離れる方向に移動してしまうことが考えられる。その結果、例えば図１０（ｃ）に示すように、バネ部材１２５の第２端部１２８が第２平板１３０よりも外側に飛び出すなどして、使用者の手などが、誤ってバネ部材の端部に接触してしまうおそれがある。
【０００６】
そこで、本考案の目的は、ピンが係合溝から外れないようにピンをロックするロック機構のバネ部材の端部が係合溝を有する平板から離れる方向に移動するのを抑制でき、安全性を向上できる連結具を提供することである。
【課題を解決するための手段】
【０００７】
第１の考案にかかる連結具は、作業台の脚部の開き角度を一定に保つための連結具であって、前記作業台に設けられたピンに係合する係合溝を有する第１平板と、前記第１平板に取り付けられ、前記ピンが前記係合溝から外れないように前記ピンをロックするロック機構と、前記第１平板から前記ロック機構側に延びた第２平板とを備え、前記ロック機構は、前記第１平板に取り付けられた軸部と、前記軸部に回動可能に取り付けられ、前記ピンをロックするフックと前記ピンのロックを解除する解除レバーとを有するロック部材と、前記ロック部材を前記ピンをロックする方向に付勢するバネ部材とを有し、前記バネ部材は、前記軸部に巻回された巻回部と、前記巻回部から延び、前記解除レバーの背面に当接する第１端部と、前記巻回部から延び、前記第２平板に当接する第２端部とを含み、前記第２平板には、前記第２端部が前記第１平板から離れる方向に移動するのを規制する規制部が設けられていることを特徴とする。
【０００８】
この連結具では、第２平板に当接するバネ部材の第２端部が、第１平板から離れる方向に移動するのを規制する規制部が設けられているので、バネ部材の第２端部が第１平板から離れる方向に移動するのを抑制でき、安全性を向上できる。
【０００９】
第２の考案にかかる連結具は、前記規制部は、前記第２平板に形成された凹部であることを特徴とする。
【００１０】
この連結具では、規制部が、第２平板に形成された凹部であるので、容易な構成でバネ部材の第２端部が第１平板から離れる方向に移動するのを抑制でき、安全性を向上できる。また、バネ部材の第２端部が凹部内に配置されるので、作業台の使用者が第２端部により触れにくくなり、安全性をより向上できる。
【００１１】
第３の考案にかかる作業台は、第１または第２の考案に記載の連結具を備えることを特徴とする。
【００１２】
この作業台では、バネ部材の第２端部が第１平板から離れる方向に移動するのを抑制でき、安全性を向上できる作業台を提供できる。
【考案の効果】
【００１３】
この考案によれば、第２平板に当接するバネ部材の第２端部が、第１平板から離れる方向に移動するのを規制する規制部が設けられているので、バネ部材の第２端部が第１平板から離れる方向に移動するのを抑制でき、安全性を向上できる。
【図面の簡単な説明】
【００１４】
【図１ａ】本考案の実施形態にかかる脚立（作業台）の正面図である。
【図１ｂ】本考案の実施形態にかかる脚立（作業台）の側面図である。
【図１ｃ】本考案の実施形態にかかる脚立（作業台）の、収納された状態における正面図である。
【図２】図１ａのＡ部拡大図である。
【図３】（ａ）は、本考案の実施形態にかかる連結具の正面図であり、（ｂ）は、その右側面図である。
【図４】（ａ）は、連結具からロック機構を取り外したときの正面図であり、（ｂ）は、その右側面図であり、（ｃ）は、（ｂ）のＢ部拡大図である。
【図５】（ａ）は、ロック部材の正面図であり、（ｂ）は、ロック部材を解除レバーの背面側から見た図である。
【図６】（ａ）は、バネ部材の正面図であり、（ｂ）は、その平面図であり、（ｃ）は、その右側面図である。
【図７】（ａ）は、本考案の変形例にかかる踏み台（作業台）の正面図であり、（ｂ）は、その側面図であり、（ｃ）は、その平面図である。
【図８】図７（ａ）のＣ部拡大図である。
【図９】本考案の実施形態にかかる脚立を梯子（作業台）として使用する場合の正面図である。
【図１０】本考案の課題を説明するための連結具の例であり、（ａ）は、連結具の正面図であり、（ｂ）は、その右側面図であり、（ｃ）は、バネ部材の第２端部が第２平板から飛び出した場合における連結具の正面図である。
【考案を実施するための形態】
【００１５】
以下、本考案の実施の形態にかかる連結具を図１ａ〜図６を参照しつつ説明する。本考案の実施の形態にかかる連結具は、例えば脚立、踏み台、梯子などの作業台に用いられるものである。ただし、作業台は脚立、踏み台、梯子に限られるものではない。以下の実施形態においては、連結具が脚立に用いられる場合について説明する。
【００１６】
［脚立１の全体構成］
図１ａ乃至図１ｃに示すように、脚立１（作業台）は、一対の脚部２、３と、脚部２、３の開き角度を一定に保つための固定機構４とを有している。固定機構４は、図１ａに示す正面側と、それと反対の背面側にそれぞれ１つずつ設けられている。ただし、固定機構４は、例えば正面側及び背面側に複数個ずつ設けられてもよいし、片側にのみ設けられてもよい。脚部２、３は、頂部連結部５において回動可能に連結されている。脚部２、３は、それぞれ２本の脚本体（例えば脚部２は、図１ｂに示すように、脚本体２ａ、２ｂを有している。）と、脚本体を繋ぐ複数の踏桟６とを有している。また、脚部２、３は、図２に示す正面側と、それと反対の背面側にそれぞれピン７、８を有している。ピン７、８は、例えば最も上方の踏桟６と頂部連結部５との間に設けられている。ただし、ピン７、８の位置はそれよりも下方であってもよい。
【００１７】
図２に示すように、固定機構４は、ピン７に回動可能に連結固定された固定具９と、一端が固定具９に回動可能に固定され、他端が他方のピン８に脱着可能に連結される連結具１０（本発明の連結具）とを有している。使用者は、脚立使用時において、脚部２、３を開いて作業場所に設置し、踏桟６を利用して高所作業を行う。その際に、連結具１０をピン８に連結することにより、脚部２、３同士を固定する。これにより、脚部２、３の開き角度を一定に保つことができ、脚立１の安定性を向上できる。
【００１８】
一方、使用後には連結具１０をピン８から外して、脚部２、３を閉じ、脚立１を収納する。図１ｃに示すように、脚立収納時においては、脚部２、３を閉じた状態で、連結部１０を再度ピン８に連結して、固定具９及び連結具１０が逆Ｖ字状になるように収納することが可能である。これにより、脚立収納時において、連結具１０がピン７に吊り下がった状態となるのを防止できる。ただし、脚立収納時において、連結具１０が、ピン７に吊り下がった状態のままであってもよい。また、脚立収納時用の別のピンを脚部２に設置して、脚立収納時に連結具１０を当該別のピンに連結することにより、連結具１０がピン７に吊り下がった状態となるのを防止してもよい。なお、上記では、固定機構４が固定具９及び連結具１０を備える場合について説明したが、固定具９はなくてもよい。つまり、連結具１０の一端がピン７に回動可能に連結固定されてもよい。
【００１９】
固定具９は、例えば金属製であり、図２に示すように、平板９ａと平板９ａの長手方向両端部に設けれた孔９ｂ、９ｃとを有している。長手方向一端側の孔９ｂは脚部２のピン７に回動可能に連結固定され、固定具９がピン７から取り外せないようにされている。また、長手方向他端側の孔９ｃは連結具１０に回動可能に連結固定されている。
【００２０】
図３〜図６に示すように、連結具１０は、脚立１に設けられたピン８に係合する係合溝１２を有する第１平板１１と、第１平板１１に取り付けられ、ピン８が係合溝１２から外れないようにピン８をロックするロック機構２０と、第１平板１１からロック機構２０側に延びた第２平板３０とを有している。ロック機構２０及び第２平板３０は、図２に示すように、脚立１に対して第１平板１１よりも外側に配置される。
【００２１】
図３〜図４に示すように、第１平板１１は、例えば矩形状且つ金属製であり、長手方向一端部１３に孔１４が形成されており、この孔１４と固定具９の孔９ｃとが中間ピン９ｄ（図２参照）により回動可能に固定されている。したがって、固定具９と連結具１０とは取り外せないようにされている。係合溝１２は、第１平板１１の長手方向他端部１５及び第１平板１１の幅方向一端部１６に設けられている。この係合溝１２は、ピン８の外径よりも横幅（第１平板１１の長手方向に沿う幅）が大きく、ピン８を容易に差し込めるようになっている。また、係合溝１２は、ピン８の外径よりも深さ（第１平板１１の幅方向深さ）が大きく、ピン８が容易に抜けないようになっている。
【００２２】
図３〜図６に示すように、ロック機構２０は、第１平板１１に取り付けられた軸部２１と、軸部２１に回動可能に取り付けられ、ピン８をロックするフック２３とピン８のロックを解除する解除レバー２４とを有するロック部材２２と、ロック部材２２をピン８をロックする方向に付勢するバネ部材２５とを有する。軸部２１及びロック部材２２は例えば金属製であり、バネ部材２５は例えば針金などの金属製の線材である。バネ部材２５は、軸部２１に巻回された巻回部２６と、巻回部２６から延び、解除レバー２４の背面２４ｂに当接する第１端部２７と、巻回部２６から延び、第２平板３０に当接する第２端部２８とを含んでいる。このように、第１端部２７が解除レバー２４の背面２４ｂに当接し、第２端部２８が第２平板３０に当接することにより、バネ部材２５は解除レバー２４と第２平板３０との間においてバネとして機能し、ピン８をロックする方向に付勢する付勢力をロック部材２２に与えている。
【００２３】
図３（ａ）に示すように、軸部２１は、第１平板１１の長手方向他端部１５、且つ、係合溝１２と第２平板３０との間に設けられている。係合溝１２と軸部２１とは第１平板１１の長手方向において少なくとも一部又は全体が重なっている。軸部２１は、第１平板１１に形成された孔１８（図４（ａ）参照）に取り付けられている。軸部２１は例えばリベットであり、孔１８に差し込まれた先端部が第１平板１１の裏面においてかしめられることにより、第１平板１１に取り付けられている。孔１８は、第１平板１１の長手方向において少なくとも一部又は全体が係合溝１２と重なっている。図３（ｂ）に示すように、軸部２１の先端２１ａは、他の部分よりも径が大きくされており、バネ部材２５の巻回部２６が軸部２１から外れることが防止されている。
【００２４】
ロック部材２２は、ロック部材２２に形成された孔２２ｂ（図５（ａ）参照）に軸部２１が差し込まれることにより、軸部２１に回動可能に取り付けられ、係合溝１２よりもさらに第１平板１１の長手方向他端側において係合溝１２と第２平板１４との間を回動する。図３（ａ）に示すように、フック２３は、ロック部材２２の本体部２２ａの回動方向先端に設けられ、少なくとも一部が平面視で係合溝１２と重なっている。このフック２３は、係合溝１２に係合されたピン８が係合溝１２から外れるのを防止する役割を果たしている。また、図３（ａ）には図示されていないが、ピン８が係合溝１２にロックされていない状態において、ロック部材２２の本体部２２ａの回動方向先端部２２ｃ（図５（ａ）参照）が係合溝１２と重なっていてもよい。これにより、ピン８がロックされた状態において、回動方向先端部２２ｃが常にピン８を押圧した状態となるので、ピン８をより堅固にロックできる。
【００２５】
解除レバー２４は、ロック部材２２の本体部２２ａの回動方向後端に設けられ、本体部２２ａから交差するように、具体的には略直交するように延びている。この解除レバー２４は、図５（ａ）に示すように、表面２４ａと背面２４ｂとを有している。表面２４ａは、解除レバー２４の解除操作に用いられる部分である。例えば親指の腹部を表面２４ａに当接させて、親指で解除レバー２４を第２平板３０側に押圧し、ロック部材２２を第２平板３０側に回動させる。すると、平面視でフック２３が係合溝１２と重ならなくなり、ピン８のロックを解除できる。その結果、連結部１０とピン８との連結を解除できる。また、図５（ｂ）に示すように、背面２４ｂには、窪み２４ｃが形成されている。バネ部材２５の第１端部２７は、この窪み２４ｃに当接しており、第１端部２７が解除レバー２４の背面２４ｂから外れにくいようになっている。
【００２６】
図３に示すように、第２平板３０は、第１平板１１の幅方向他側部１７から第１平板１１と交差するように、具体的には略直交するようにロック機構２０側に伸びた平板であり、金属製である。図３（ｂ）に示すように、第２平板３０の高さは、軸部２１の高さ及び解除レバー２４の高さと略同じとされており、第１平板１１の幅よりも短い。また、第２平板３０の高さは、バネ部材２５の巻回部２６から第２端部２８までの長さよりも短い。
【００２７】
図３〜図４に示すように、第２平板３０には、バネ部材２５の第２端部２８が第１平板１１から離れる方向に移動するのを規制する凹部３１（本発明の規制部）が設けられており、バネ部材２５の第２端部２８は凹部３１に当接している。したがって、解除レバー２４が操作されて、ピン８のロックと解除が繰り返し行われることにより、バネ部材２５の巻回部２６が緩むなどしても、バネ部材２５の第２端部２８が第１平板１１から離れる方向に移動することが抑制されている。その結果、バネ部材２５の第２端部２８が第２平板３０よりも外側に飛び出さず、使用者が第２端部２８に触れて怪我することが防止されている。
【００２８】
図４に示すように、凹部３１は、第２平板３０の長手方向一端部３２に設けられ、凹部３１の一端３１ａは、長手方向一端部３２の端部３２ａまで延びている。図４（ｂ）に示すように、この凹部３１は、第１平板１１の近傍にあり、具体的には、第２平板３０の幅方向中央よりも第１平板１１側に位置している。また、凹部３１の断面形状は略半円形状であり、図４（ｃ）に示すように、凹部３１の幅Ｗは、バネ部材２５の第２端部２８の外径よりも十分に大きくされている。また、凹部３１の深さＨも、バネ部材２５の第２端部２８の外径よりも十分に大きくされている。したがって、バネ部材２５の第２端部２８が凹部３１に配置された状態において、使用者が第２端部２８に触れにくくなるようにされており、使用者が第２端部２８に触れて怪我をすることが防止されている。また、図４（ａ）に示すように、凹部３１の長さは、長手方向一端部３２の端部３２ａから第１平板１１の長手方向において係合溝１２と重なる位置まで延びている。
【００２９】
ただし、凹部３１の一端３１ａは、長手方向一端部３２の端部３２ａまで延びていなくてもよいし、第２平板３０の幅方向中央よりも第１平板１１と反対側に位置していてもよいし、断面形状は略半円形状に限られない。凹部３１の幅Ｗ及び深さＨも適宜の大きさに変更できる。さらに、凹部３１の長さは、第１平板１１の長手方向において係合溝１２よりも手前までしか延びていなくてもよいし、係合溝１２より奥まで伸びていてもよい。
【００３０】
［効果］
この連結具１０では、第２平板３０に当接するバネ部材２５の第２端部２８が、第１平板１１から離れる方向に移動するのを規制する規制部（凹部３１）が設けられているので、バネ部材２５の第２端部２８が第１平板１１から離れる方向に移動するのを抑制でき、安全性を向上できる。
【００３１】
また、この連結具１０では、規制部が、第２平板３０に形成された凹部３１であるので、容易な構成でバネ部材２５の第２端部２８が第１平板１１から離れる方向に移動するのを抑制でき、安全性を向上できる。また、バネ部材２５の第２端部２８が凹部３１内に配置されるので、脚立１（作業台）の使用者が第２端部２８により触れにくくなり、安全性をより向上できる。
【００３２】
また、バネ部材２５の第２端部２８が第１平板１１から離れる方向に移動するのを抑制でき、安全性を向上できる脚立１を提供できる。
【００３３】
以上、本考案の実施形態について図面に基づいて説明したが、具体的な構成は、これらの実施形態に限定されるものでない。本考案の範囲は、上記した実施形態の説明ではなく実用新案登録請求の範囲によって示され、さらに実用新案登録請求の範囲と均等の意味および範囲内でのすべての変更が含まれる。
【００３４】
［変形例］
上記実施形態では、連結具１０が脚立１に用いられる場合について説明したが、図７、８に示すように、連結具１０が一般的に脚立よりも頂部が低い踏み台５０（作業台）に用いられてもよい。この踏み台５０は、足載せ又は物の載置に用いられる頂板５１と脚部５２、５３とを有している。上記実施形態では、連結具１０が脚部２、３同士を固定するのに用いられたが、この踏み台５０では、連結具１０が頂板５１と脚部５２、及び頂板５１と脚部５３を連結するのに用いられる。具体的には、図９に示すように、連結具１０の一端が頂板５１側のピン５４に回動可能に連結固定され、他端側の係合溝１２が脚部５３のピン５５に着脱可能に着脱される。これにより、踏み台５０の脚部５２、５３の開き角度を一定に保つことができ、踏み台５０の安定性を向上できる。ただし、連結具１０の一端が脚部５３のピン５５に回動可能に連結固定され、他端側の係合溝１２が頂板５１側のピン５４に着脱可能に着脱されてもよい。なお、連結具１０が踏み台５０に用いられる場合、連結具１０は単独で用いられるが、上記実施形態の脚立１のように、固定具９とともに連結具１０が用いられてもよい。
【００３５】
また、上記実施形態の脚立１は、図９に示すように、脚部２、３を１８０度開くことによって、梯子（作業台）として用いることが可能である。この場合においても、連結機構４の連結具１０が梯子として用いる場合に使用されるピンに連結されることで、脚立１の脚部２、３の開き角度を一定（１８０度）に保つことができ、脚立１の安定性を向上できる。
【００３６】
また、上記実施形態では、第２平板３０には、バネ部材２５の第２端部２８が第１平板１１から離れる方向に移動するのを規制する規制部として凹部３１が設けられている場合について説明したが、規制部は凹部に限られない。例えば、規制部は、第２平板３０の第２端部２８が当接する部分よりも第１平板１１に対して外側に設けられた凸部であってもよい。
【符号の説明】
【００３７】
１  脚立（作業台）
２、３  脚部
８  ピン
１０  連結具
１１  第１平板
１２  係合溝
２０  ロック機構
２１  軸部
２２  ロック部材
２３  フック
２４  解除レバー
２４ｂ  背面
２５  バネ部材
２６  巻回部
２７  第１端部
２８  第２端部
３０  第２平板
３１  凹部（規制部）
５０  踏み台（作業台）
【図１ａ】
0003206694.tif 000003
【図１ｂ】
0003206694.tif 000004
【図１ｃ】
0003206694.tif 000005
【図２】
0003206694.tif 000006
【図３】
0003206694.tif 000007
【図４】
0003206694.tif 000008
【図５】
0003206694.tif 000009
【図６】
0003206694.tif 000010
【図７】
0003206694.tif 000011
【図８】
0003206694.tif 000012
【図９】
0003206694.tif 000013
【図１０】
0003206694.tif 000014